(57)【要約】【課題】起立する支柱体に取り付けて使用する表示板取付セットにおいて、比較的大きいサイズの表示板を安定して支柱体に支持させるのに適した表示板ユニットを提供すること。【解決手段】起立する支柱体Ｂ１に取り付けて使用する表示板取付セットＡ１であって、平板状の表示板２と、支柱体Ｂ１に支持させるための支柱体側取付部材３０および表示板２に取り付けられる表示板側取付部材４０を有する一対の取付ユニット１と、を備え、支柱体側取付部材３０および表示板側取付部材４０のうち、いずれか一方は軸線方向Ｘに延びる軸部を有し、他方は当該軸部の少なくとも一部を包囲し、かつ上記軸部に対して上記軸線方向Ｘ周りに相対回動可能な包囲部を有する。【選択図】図１
2019020586.tif 000002
【特許請求の範囲】
【請求項１】
起立する支柱体に取り付けて使用する表示板取付セットであって、
平板状の表示板と、
上記支柱体に支持させるための支柱体側取付部材および上記表示板に取り付けられる表示板側取付部材を有する一対の取付ユニットと、を備え、
上記支柱体側取付部材および上記表示板側取付部材のうち、いずれか一方は軸線方向に延びる軸部を有し、他方は当該軸部の少なくとも一部を包囲し、かつ上記軸部に対して上記軸線方向周りに相対回動可能な包囲部を有する、表示板取付セット。
【請求項２】
上記支柱体側取付部材は、上記軸部または上記包囲部に対してその軸線を含む面内方向に延びており、上記支柱体に係止される係止部を有する、請求項１に記載の表示板取付セット。
【請求項３】
上記係止部は、環状である、請求項１または２に記載の表示板取付セット。
【請求項４】
上記係止部は、上記軸線方向に沿って棒状に延びるシャフト部と、当該シャフト部において上記軸線方向に間隔を隔てて形成された複数のフランジ部と、を有する、請求項１または２に記載の表示板取付セット。
【請求項５】
上記支柱体側取付部材が上記軸部を有し、上記表示板側取付部材が上記包囲部を有する、請求項１ないし４のいずれかに記載の表示板取付セット。
【請求項６】
上記包囲部は部分円筒状とされており、
上記表示板側取付部材は、上記包囲部の周方向における両端から延び、かつ上記表示板をその厚さ方向両側から挟む一対の取付板部を有し、
上記一対の取付板部の間隔が上記軸部の外径寸法よりも小である、請求項５に記載の表示板取付セット。
【請求項７】
上記表示板は、プラスチックダンボール製の板材により構成される、請求項１ないし６のいずれかに記載の表示板取付セット。
【発明の詳細な説明】
【技術分野】
【０００１】
本発明は、たとえば地面上に置かれた三角コーン等の支柱体に取り付けて使用する表示板取付セットに関する。
【背景技術】
【０００２】
従来、歩道や車道などにおいて案内情報を表示するための表示装置として、たとえば三角コーンなどの支柱体に取り付けて使用されるものが知られている（たとえば特許文献１を参照）。特許文献１に開示された表示装置は、支柱体の円錐形部に取り付ける取付部材を備え、この取付部材を介して表示用のシート部材が支柱体に支持されている。具体的には、同文献の図１に示すように、取付部材は、支柱体（１００）の円錐形状の頂部に嵌合可能な取付部（１２）と、当該取付部に連結されて水平方向に延びる棒状部（１４）とを有し、この棒状部にシート部材（１３）が吊り下げられている。
【０００３】
上記従来の表示装置において、取付部材およびシート部材は支柱体に対して片持ち状に支持されている。このため、案内表示のためのシート部材のサイズを大きく確保したい場合には、棒状部（取付部材）の長さも長くなり、取付部材およびシート部材を支持する支柱体の起立状態が不安定となりやすい。また、強風で煽られるなど外部の影響により転倒する虞れもある。
【先行技術文献】
【特許文献】
【０００４】
【特許文献１】特開２００８−２０９５１８号公報
【発明の概要】
【発明が解決しようとする課題】
【０００５】
本発明は、このような事情のもとで考え出されたものであって、起立する支柱体に取り付けて使用する表示板取付セットにおいて、比較的大きいサイズの表示板を安定して支柱体に支持させるのに適した表示板取付セットを提供することを主たる課題とする。
【課題を解決するための手段】
【０００６】
上記の課題を解決するため、本発明では、次の技術的手段を講じている。
【０００７】
本発明によって提供される表示板取付セットは、起立する支柱体に取り付けて使用する表示板取付セットであって、平板状の表示板と、上記支柱体に支持させるための支柱体側取付部材および上記表示板に取り付けられる表示板側取付部材を有する一対の取付ユニットと、を備え、上記支柱体側取付部材および上記表示板側取付部材のうち、いずれか一方は軸線方向に延びる軸部を有し、他方は当該軸部の少なくとも一部を包囲し、かつ上記軸部に対して上記軸線方向周りに相対回動可能な包囲部を有する。
【０００８】
好ましい実施の形態においては、上記支柱体側取付部材は、上記軸部または上記包囲部に対してその軸線を含む面内方向に延びており、上記支柱体に係止される係止部を有する。
【０００９】
好ましい実施の形態においては、上記係止部は、環状である。
【００１０】
好ましい実施の形態においては、上記係止部は、上記軸線方向に沿って棒状に延びるシャフト部と、当該シャフト部において上記軸線方向に間隔を隔てて形成された複数のフランジ部と、を有する。
【００１１】
好ましい実施の形態においては、上記支柱体側取付部材が上記軸部を有し、上記表示板側取付部材が上記包囲部を有する。
【００１２】
好ましい実施の形態においては、上記包囲部は部分円筒状とされており、上記表示板側取付部材は、上記包囲部の周方向における両端から延び、かつ上記表示板をその厚さ方向両側から挟む一対の取付板部を有し、上記一対の取付板部の間隔が上記軸部の外径寸法よりも小である。
【００１３】
好ましい実施の形態においては、上記表示板は、プラスチックダンボール製の板材により構成される。
【００１４】
本発明のその他の特徴および利点は、添付図面を参照して以下に行う詳細な説明によって、より明らかとなろう。
【図面の簡単な説明】
【００１５】
【図１】本発明に係る表示板取付セットの一例を示し、支柱体に取り付けた状態の斜視図である。
【図２】図１に示した表示板取付セットにおける取付ユニットの拡大斜視図である。
【図３】図２のＩＩＩ−ＩＩＩ線に沿う断面図である。
【図４】図３のＩＶ−ＩＶ線に沿う部分拡大断面図である。
【図５】表示板の一例を示す斜視図である。
【図６】支柱体側取付部材３０および表示板側取付部材４０の組み付けについて説明するための図４と同様の断面図である。
【図７】図１のＶＩＩ−ＶＩＩ線に沿う部分拡大断面図である。
【図８】図１に示した表示板取付セットの作用を説明するための図であり、図７と同様の断面図である。
【図９】本発明に係る表示板取付セットの一例を示し、支柱体に取り付けた状態の斜視図である。
【図１０】図９に示した表示板取付セットにおける取付ユニットを示す拡大斜視図である。
【図１１】図１０のＸＩ−ＸＩ線に沿う断面図である。
【図１２】支柱体側取付部材を支柱体に支持させる状態を示す断面図である。
【発明を実施するための形態】
【００１６】
以下、本発明の好ましい実施の形態について、図面を参照して具体的に説明する。
【００１７】
図１は、本発明に係る表示板取付セットの一例を示す。本実施形態の表示板取付セットＡ１は、起立する支柱体Ｂ１に取り付けて使用されるものである。支柱体Ｂ１としては、たとえば三角コーンが挙げられる。支柱体Ｂ１は、地面に載置される基台９１と、この基台９１上に設けられた錐形状部９２を有する。本実施形態において、錐形状部９２は、中空状の概略円錐形状とされている。なお、図示説明は省略するが、基台９１上に、錐形状部９２を囲う錘部材を載置してもよい。
【００１８】
表示板取付セットＡ１は、一対の取付ユニット１と、表示板２とを備える。
【００１９】
取付ユニット１は、支柱体Ｂ１に表示板２を取り付ける際に用いられるものである。取付ユニット１は、支柱体側取付部材３０および表示板側取付部材４０を有する。なお、一対の取付ユニット１は、図１に示すように、間隔を隔てて配置された一対の支柱体Ｂ１それぞれに取り付けられるものであり、実質的に同じ構造である。
【００２０】
図１、図２に示すように、支柱体側取付部材３０は、支柱体Ｂ１に支持させるための部材であり、軸部３１および係止部３２を有する。軸部３１は、軸線方向Ｘに延びており、丸棒状である。本実施形態において、係止部３２は、円環状とされており、軸部３１に対して軸線方向Ｘの一方の端部につながっている。また、本実施形態において、係止部３２は、軸部３１の軸線Ｏｘを含む面内方向に延びている。係止部３２の内側の空隙部分には、支柱体Ｂ１の錐形状部９２を差し込むことが可能である。
【００２１】
図２、図３に示すように、本実施形態において、軸部３１の他方の端部（軸線方向Ｘにおいて３２係止部と反対側の端部）には、鍔部３３が設けられている。鍔部３３の外径寸法は、軸部３１の外径よりも大であり、また、後述する包囲部４１の内径よりも大である。なお、本実施形態において、軸部３１の外周には、環状の突起３１１が形成されている。当該突起３１１は、軸線方向Ｘに間隔を隔てて複数設けられている。本実施形態において、支柱体側取付部材３０は、たとえばポリアミドなどの所定の強度を有する合成樹脂により一体形成されている。
【００２２】
表示板側取付部材４０は、表示板２に取り付けられる部材であり、包囲部４１および一対の取付板部４２を有する。包囲部４１は、支柱体側取付部材３０における軸部３１の少なくとも一部を包囲しており、軸部３１に対して軸線方向Ｘ周りに相対回動可能である。本実施形態において、包囲部４１は、部分円筒状とされている。包囲部４１の軸線方向Ｘにおける長さは、軸部３１の軸線方向Ｘにおける長さと対応している。
【００２３】
図２、図４に示すように、一対の取付板部４２は、包囲部４１の周方向における両端から延びている。一対の取付板部４２は、表示板２をその厚さ方向両側から挟む部分である。本実施形態において、一対の取付板部４２の間隔は、軸部３１の外径寸法よりも小である。本実施形態において、表示板側取付部材４０は、たとえばポリエチレンなどの所定の強度を有する合成樹脂により一体形成されている。
【００２４】
図６に示すように、支柱体側取付部材３０および表示板側取付部材４０を組み付ける際、一対の取付板部４２の間に軸部３１を強制的に圧入する。ここで、一対の取付板部４２は弾性変形を伴って押し広げられ、軸部３１は、一対の取付板部４２の間を通過した後に包囲部４１の内側に収容される。このようにして軸部３１（支柱体側取付部材３０）および包囲部４１（表示板側取付部材４０）は連結され、相互に軸線Ｏｘ周りに回動可能となっている。
【００２５】
図５に示すように、表示板２は、平板状であり、略長矩形状とされている。表示板２は、第１面２ａと、第１面２ａの反対を向く第２面２ｂとを有する。本実施形態の表示板２は、たとえばプラスチックダンボール、合成樹脂、あるいは発泡樹脂からなる板材により構成されており、好ましくはプラスチックダンボール製である。第１面２ａおよび第２面２ｂの少なくとも一方には、案内表示や広告などが描画されている。なお、第１面２ａ（第２面２ｂ）に案内表示等を直接描画せずに、案内表示等が印刷されたシール等を第１面２ａ（第２面２ｂ）に貼ってもよい。
【００２６】
表示板２がプラスチックダンボール製の長矩形状の板材からなる場合、たとえば長辺（図１において水平方向に延びる辺）の長さが９０〜１８０ｃｍ程度であり、短辺（図１において垂直方向に延びる辺）の長さが２０〜９０ｃｍ程度である。表示板２は、定尺のプラスチックダンボール板材を適宜切断することによって得られる。
【００２７】
表示板２の周縁には、チャンネル部材２１が装着されている。チャンネル部材２１は、断面コの字状であり、たとえばアルミニウムまたはアルミニウム合金からなる。本実施形態において、チャンネル部材２１は、表示板２の４隅を除いた４辺の各々に装着されている。
【００２８】
図２〜図４に示すように、表示板側取付部材４０の一対の取付板部４２において、互いに対向する内側面の適所には凹溝４２１が形成されている。表示板２を支柱体Ｂ１に取り付けた状態においては、図７に示すように、凹溝４２１に、表示板２に装着されたチャンネル部材２１が嵌入する。また、一対の取付板部４２において凹溝４２１の形成箇所以外の部分においては、一対の取付板部４２の間の寸法が表示板２の厚さに対応する寸法とされている。
【００２９】
表示板２への表示板側取付部材４０の取り付けは、たとえばねじ締結により行う。図７に示すように、たとえば皿小ねじなどのねじ軸部材４３を、一対の取付板部４２にそれぞれ形成された貫通孔４２２，４２３、および表示板２に形成された貫通孔２２に連通させつつ、袋ナットなどのナット部材４４に締め付ける。このようにして、表示板２に表示板側取付部材４０が取り付けられる。なお、本実施形態においては、図１にも表れているように、表示板側取付部材４０は、表示板２における上側の２箇所の角部に取り付けられている。
【００３０】
また、本実施形態においては、図１に示すように、表示板２における下側の２箇所の角部には、コーナーカバー２３が装着されている。詳細な図示説明は省略するが、コーナーカバー２３は、一対の板片を有し、当該一対の板片において、互いに対向する内側面の適所には凹溝が形成されている。当該凹溝は、上記取付板部４２に形成された凹溝４２１と同様であり、上記凹溝に、表示板２に装着されたチャンネル部材２１が嵌入される。表示板２へのコーナーカバー２３の取り付けは、上記した表示板２への表示板側取付部材４０の取り付けの場合と同様に、たとえばねじ締結により行う。
【００３１】
次に、本実施形態の作用について説明する。
【００３２】
本実施形態の表示板取付セットＡ１によれば、図１に示すように、表示板２は、一対の取付ユニット１を用いて一対の支柱体Ｂ１に支持される。したがって、表示板２が片持ち姿勢で支柱体にＢ１に支持されることは回避され、表示板２を支持する支柱体Ｂ１の起立状態が安定する。
【００３３】
取付ユニット１は、支柱体Ｂ１に支持させるための支柱体側取付部材３０および表示板２に取り付けられる表示板側取付部材４０を有する。本実施形態において、表示板側取付部材４０の包囲部４１は、支柱体側取付部材３０の軸部３１に対して、軸線方向Ｘ周りに相対回動可能に連結されている。このような構成によれば、表示板２が強風で煽られる場合、図８において仮想線で示すように、表示板２に取り付けられた表示板側取付部材４０が支柱体側取付部材３０に対して回動することにより、強風によって表示板２にかかる力を逃がすことができる。表示板２のサイズが大きい場合には、受圧面積が大きくなるので風が吹くことによって受ける力も大きくなる。このような場合においても、上記のように風により表示板２にかかる力を逃がす構造とされているため、表示板２を支持する支柱体Ｂ１の起立状態が安定する。
【００３４】
本実施形態において、環状の係止部３２は、軸部３１の軸線Ｏｘを含む面内方向に延びている。このような構成によれば、たとえば取付ユニット１の収納時や運搬時においては、図２に示した使用時の姿勢から、支柱体側取付部材３０および表示板側取付部材４０を軸線Ｏｘ周りに約９０°相対回動させることにより、取付ユニット１全体が平面的な姿勢となる。したがって、取付ユニット１は、使用時以外はコンパクトにすることができ、収納時や運搬時に取り扱い易い。
【００３５】
本実施形態において、表示板２の周縁にはチャンネル部材２１が装着されている。このような構成によれば、表示板２が比較的大きなサイズである場合、当該表示板２を適切に補強することができる。また、表示板２が定尺の板材を切断したものである場合、切断面が露出することが防止され、安全面での改善を図ることができる。
【００３６】
図９は、本発明に係る表示板取付セットの他の例を示している。図９以降の図においては、上記実施形態と同一または類似の要素には、同一の符号を付しており、適宜説明を省略する。
【００３７】
図９に示す表示板取付セットＡ２は、一対の取付ユニット１と、表示板２とを備え、起立する支柱体Ｂ２に取り付けて使用されるものである。本実施形態においては、支柱体Ｂ２の構成が上記実施形態の支柱体Ｂ１と異なっており、これに伴い主に係止部３２の構成が上記実施形態と異ならせられている。ただし、表示板２および表示板側取付部材４０の構成については、上記実施形態と実質的に同一である。
【００３８】
本実施形態において、支柱体Ｂ２の基台９１は、平面視略矩形状である。錐形状部９２は、中空状の概略四角錐形状とされている。錐形状部９２の上端寄りの適所には、チェーン等を係止するための開口９２１が形成されている。
【００３９】
図１０、図１１に示すように、支柱体側取付部材３０の係止部３２は、シャフト部３２１および複数のフランジ部３２２を有する。シャフト部３２１は、軸線方向Ｘに沿って棒状に延びている。複数のフランジ部３２２は、シャフト部３２１において軸線方向Ｘに間隔を隔てて形成されている。各フランジ部３２２の外径寸法は、シャフト部３２１の外径よりも大である。
【００４０】
支柱体側取付部材３０を支柱体Ｂ２に支持させる際には、図１２に示すように、係止部３２を支柱体Ｂ２の開口９２１から進入させ、当該開口９２１の下端周縁部分が隣接するフランジ部３２２の間に嵌まるようにして、係止部３２を開口９２１の下端周縁部分に引っ掛ける。
【００４１】
次に、本実施形態の作用について説明する。
【００４２】
本実施形態の表示板取付セットＡ２によれば、図９に示すように、表示板２は、一対の取付ユニット１を用いて一対の支柱体Ｂ２に支持される。したがって、表示板２が片持ち姿勢で支柱体にＢ２に支持されることは回避され、表示板２を支持する支柱体Ｂ２の起立状態が安定する。
【００４３】
取付ユニット１は、支柱体Ｂ２に支持させるための支柱体側取付部材３０および表示板２に取り付けられる表示板側取付部材４０を有する。本実施形態において、表示板側取付部材４０の包囲部４１は、支柱体側取付部材３０の軸部３１に対して、軸線方向Ｘ周りに相対回動可能に連結されている。このような構成によれば、表示板２が強風で煽られる場合、表示板２に取り付けられた表示板側取付部材４０が支柱体側取付部材３０に対して回動することにより、強風によって表示板２にかかる力を逃がすことができる。表示板２のサイズが大きい場合には、受圧面積が大きくなるので風が吹くことによって受ける力も大きくなる。このような場合においても、上記のように風により表示板２にかかる力を逃がす構造とされているため、表示板２を支持する支柱体Ｂ２の起立状態が安定する。
【００４４】
本実施形態において、係止部３２は、軸線方向Ｘに沿って棒状に延びるシャフト部３２１と、シャフト部３２１において軸線方向Ｘに間隔を隔てて形成された複数のフランジ部３２２と、を有する。このような構成によれば、開口９２１を有する支柱体Ｂ２に対し、当該開口９２１を利用して支柱体側取付部材３０を適切に取り付けることができる。また、複数のフランジ部３２２については、隣接するフランジ部３２２の間のうち、いずれかを選択して開口９２１の下端周縁部分に引っ掛けることにより、支柱体Ｂ１に対する取付ユニット１の取り付け位置を調整することができる。
【００４５】
以上、本発明の具体的な実施形態を説明したが、本発明はこれに限定されるものではなく、発明の思想から逸脱しない範囲内で種々な変更が可能である。本発明に係る表示板取付セットの各部の具体的な構成は、種々に設計変更自在である。
【符号の説明】
【００４６】
Ａ１，Ａ２    表示板取付セット
Ｂ１，Ｂ２    支柱体
１        取付ユニット
２        表示板
２ａ      第１面
２ｂ      第２面
２１      チャンネル部材
２２      貫通孔
２３      コーナーカバー
３０      支柱体側取付部材
３１      軸部
３１１    突起
３２      係止部
３２１    シャフト部
３２２    フランジ部
３３      鍔部
４０      表示板側取付部材
４１      包囲部
４２      取付板部
４２１    凹溝
４２２，４２３    貫通孔
４３      ねじ軸部材
４４      ナット部材
９１      基台
９２      錐形状部
９２１    開口
Ｏｘ      軸線
Ｘ        軸線方向
【図１】
2019020586.tif 000003
【図２】
2019020586.tif 000004
【図３】
2019020586.tif 000005
【図４】
2019020586.tif 000006
【図５】
2019020586.tif 000007
【図６】
2019020586.tif 000008
【図７】
2019020586.tif 000009
【図８】
2019020586.tif 000010
【図９】
2019020586.tif 000011
【図１０】
2019020586.tif 000012
【図１１】
2019020586.tif 000013
【図１２】
2019020586.tif 000014